(57)【特許請求の範囲】
【請求項１】
トイレブース内に設けられる汚物収納装置において、トイレブース用パネルにはトイレットペーパーホルダーを取付けた水平棚を取着し、該水平棚には汚物収納装置が取付けられ、該汚物収納装置は収納容器と該収納容器内に入る内箱で構成し、上記収納容器は正面に形成している投入口に開閉可能な蓋を設け、そして側面には扉を開閉できるように取付け、そして上記内箱はその上部を開口すると共に上端は正面側を低く傾斜していることを特徴とする汚物収納装置。
【請求項２】
上記収納容器の投入口に設けている蓋は、その自重にて常時閉じた状態にある請求項１記載の汚物収納装置。
【発明の詳細な説明】
【技術分野】
【０００１】
本発明はトイレに設置され、使い易く衛生的で、しかも掃除がし易い汚物収納装置に関するものである。
【背景技術】
【０００２】
女性用のトイレには使用済みの生理用品などを捨てる為の容器が設けられ、従来は床面に置かれているのが一般的である。通常、この容器はトイレ室内のコーナー部に設置される為、開閉ドアの近くに容器が設置されている場合などでは、トイレ室内への出入りの妨げになり、また、床の掃除をする際にも邪魔になる。さらに、便器に座った姿勢のままでは汚物を入れにくい。そこで、壁面の適当な位置に凹部を形成して設置した構造としているケースがある。
【０００３】
実公平４−２１５１９号に係る「汚物収納装置」は、汚物入容器を収納したボックスを壁内部に設置したもので、該収納ボックス内からの臭気の排出と室内換気とを兼用させた構造と成っている。そこで、壁内部に設置された収納ボックスと、収納ボックス内下方に室内側より出入自在に設置された汚物入容器と、収納ボックス前面上方に開口された汚物の投入口と、該投入口に開閉自在に装着された蓋と、該収納ボックスに接続された排気装置と、蓋及び収納ボックス前面の少なくとも一方に開設された室内換気用の開口とを備えている。
【０００４】
実公平４−２１５１８号に係る「汚物収納装置」も壁内部に設置した構造と成っている。そこで、壁内部に設置された収納容器と、収納容器内下方に室内側より出入自在に設置された汚物入容器と、収納容器前面上方に開口された汚物の投入口と、該投入口に開閉自在に装着された蓋と、該蓋開閉用の駆動装置と、該投入口近傍の人体を感知するセンサと、該センサの人体感知信号に基づいて前記蓋を解放させるように駆動装置を作動させると共に、該センサの人体感知信号が停止した後、所定時間経過したときに蓋を閉止させるように駆動装置を作動させる制御装置を備えている。
【０００５】
このように壁内部に収納容器を設置することでその構造が複雑化し、製作費は高く成ってしまう。又、壁内部に取付けた構造では、収納容器内部を掃除する時にも面倒である。そして壁内部にもうける為に、壁の据付工事と同時に収納容器の設置工事を行わなくてはならず、後での位置変更は不可能となる。
【特許文献１】実公平４−２１５１９号に係る「汚物収納装置」
【特許文献２】実公平４−２１５１８号に係る「汚物収納装置」
【発明の開示】
【発明が解決しようとする課題】
【０００６】
このように床置き形式及び壁内部埋め込み形式の従来汚物収納装置には上記のごとき問題がある。本発明が解決しようとする課題はこれら問題点であり、至って簡単な構造で、しかも使い易い汚物収納装置を提供する。
【課題を解決するための手段】
【０００７】
本発明に係る汚物収納装置は、トイレットペーパーホルダーが取着される棚に取付けられる。棚は水平板で構成されてトイレブースの壁面に固定されている。この水平棚にトイレットペーパーホルダーが一方側に取着されると共に、他方側には本発明の汚物収納装置が取付けられる。ここで、取付け手段の具体的な構造は限定しないが、該汚物収納装置は収納容器と内箱とで構成され、内箱は収納容器に収納されて引き出し可能と成っている。
【０００８】
収納容器の正面には投入口を設け、該投入口には開閉蓋を備えている。そして、側面には扉を取付け、該扉を開いて内箱を出し入れすることが出来る。内箱はその上部が開口し、しかも正面側を低く傾斜し、内部にはビニールなどの内袋が内装されている。収納容器及び内箱の材質は樹脂製であったり、アルミやステンレスなどの金属製とすることが出来る。
【発明の効果】
【０００９】
本発明の汚物収納装置はトイレブースの壁面に固定した水平棚に取付けられ、便器に座った状態のままで汚物を捨てることが出来る。すなわち、トイレットペーパーが取付けられている同じ水平棚に設けている為に、無理なく自然な体勢のまま汚物を捨てることが出来る。そして、収納容器には投入口が設けられ、該投入口に取付けた蓋を押して汚物を投入することが出来、投入された汚物は内箱に入り、投入後は自重にて蓋は独りでに閉鎖する。
【００１０】
内箱の上部開口は正面側を低く傾斜している為に、投入口から投入される汚物は内箱に入り易い。そして、内箱は収納容器の側面に設けた扉を開くことで引き出される。この引出しの為に内箱の側面にはツマミを有している。そして、内箱内部にはビニールなどの内袋が内装されているために、該内袋と共に汚物を処分することで内箱が汚れることはない。
【００１１】
一方、水平棚はトイレブース内の適当な位置に後付けとして取着することが出来る為に使いやすく、該水平棚には荷物を載せることが出来る。勿論、汚物収納装置を壁内部に埋め込む従来の構造に比較して製作コストは格段に安く、内部の掃除もし易い。すなわち、収納容器の側面扉を開いて内箱を取り出し、該内箱に内装している内袋と共に汚物を捨てることが出来る。
【実施例】
【００１２】
図１はトイレブースの内部を示す平面図であり、同図の１は便器、２はドア、３は水平棚、４はパネルを表している。該トイレブースは複数枚のパネル４，４・・が起立して所定大きさのトイレ空間が構成され、トイレブース内の中央には上記便器１が配置され、正面にはドア２を備えている。同図に示すトイレブース内の構造は１具体例に過ぎないが、パネル４にはトイレットペーパーを取付けているトイレットペーパーホルダーが水平棚３に取着されている。
【００１３】
図２は上記水平棚３にトイレットペーパーホルダー５及び汚物収納装置６が取付けられている具体例である。水平棚３は横長の長方形板であり、トイレブースを構成するパネル４に固定されており、該トイレットペーパーホルダー５には２個のトイレットペーパー７，７が対を成して取付けられている。勿論、１個のトイレットペーパー７を取付けるトイレットペーパーホルダー５を用いることもある。
【００１４】
このトイレットペーパーホルダー５は従来から周知のものであり、その形状や構造に関しては色々なものが存在している。円筒状のトイレットペーパー７，７は、垂下片８，８・・に設けている軸９，９・・に軸支されて自由に回転することが出来、ペーパーは回転しながら引き出され、カッター１０，１０によって適当な長さに切断することが出来る。
【００１５】
ところで、上記汚物収納装置６は、収納容器１１と内箱１２から成り、汚物は内箱１２に入れられる。内箱１２は図３に断面図を示しているように、収納容器１１に収納されていて、汚物を捨てる時に内箱１２を出すことが出来る。収納容器１１はその形状を箱形として上記水平棚３の下方に取着され、正面には投入口１３を有している。投入口１３には上端に設けた軸を介して蓋１４が揺動自在に取付けられて、正面を押圧するならば揺動して投入口１３が開く。そして、手を放すならば、自重によって蓋１４は投入口１３を閉じることが出来る。
【００１６】
又、収納容器６の側面には扉１５が取付けられ、該扉１５は持ち手１６を摘んで開くことが出来る。収納容器１１内の内箱１２は蓋１４を押し開くことが出来るように該蓋１４の位置より低く成っている。図４は内箱１２を単独で表しているが、その上端１７は傾斜して正面側を低くしている。従って、収納容器１１の蓋１４を押し開いて投入口１３から投入される汚物は内箱１２内に確実に入る。
【００１７】
内箱１２の側面１８にはツマミ１９が設けられ、扉１５を開いて内箱１２を収納容器１１から引き出すことが出来る。ここで、汚物は収納容器１１の投入口１３から投入されて内箱１２に入るが、該内箱１２にはビニール袋が内装されている。従って、ビニール袋と共に汚物を捨てることが可能であり、その作業に多くの手間がかかることもない。
【図面の簡単な説明】
【００１８】
【図１】トイレブースの内部構造。
【図２】水平棚に取着された汚物収納装置。
【図３】汚物収納装置の縦断面図。
【図４】収納容器内に入る内箱。
【符号の説明】
【００１９】
１  便器
２  ドア
３  水平棚
４  パネル
５  トイレットペーパーホルダー
６  汚物収納装置
７  トイレットペーパー
８  垂下片
９  軸
10  カッター
11  収納容器
12  内箱
13  投入口
14  蓋
15  扉
16  持ち手
17  上端
18  側面
19  ツマミ
【図１】
0004640045.tif 000002
【図２】
0004640045.tif 000003
【図３】
0004640045.tif 000004
【図４】
0004640045.tif 000005